(57)【特許請求の範囲】
【請求項１】
揮発性メモリと、
前記揮発性メモリに書き込まれるデータを取り込む移行元接続端子と、
前記揮発性メモリに書き込まれたデータを転送する移行先接続端子と、
前記移行元接続端子を介して接続される移行元である第１のコンピュータ装置からのアクセスに応じて前記揮発性メモリに対して書込を実行する書込制御手段と、
前記移行先接続端子を介して接続される移行先である第２のコンピュータ装置からのアクセスに応じて前記揮発性メモリに対して読出のみを許容し、書込を許容しない読出制御手段とを備え、
前記揮発性メモリに記録されたデータを保持するための電力を、少なくとも一方の接続端子を介して供給し、
前記少なくとも一方の接続が切断されたときに、前記揮発性メモリへの電力供給を停止することを特徴とするデータ移行装置。
【請求項２】
前記揮発性メモリに記録されたデータを保持するための電力は、前記移行元接続端子を介して供給されることを特徴とする請求項１に記載のデータ移行装置。
【請求項３】
一方が前記移行元接続端子となり、他方が前記移行先接続端子になる第１接続端子及び第２の接続端子を備えており、
前記第１接続端子が前記移行元接続端子で、かつ前記第２接続端子が前記移行先接続端子として機能する場合と、前記第１接続端子が前記移行先接続端子で、かつ前記第２接続端子が前記移行元接続端子として機能する場合とを切り替える切替手段を更に備えたことを特徴とする請求項２に記載のデータ移行装置。
【請求項４】
前記移行元接続端子及び移行先接続端子は、ＵＳＢ端子であることを特徴とする請求項１〜３のいずれか１項に記載のデータ移行装置。
【発明の詳細な説明】
【技術分野】
【０００１】
本発明は、データを移行するために用いるデータ移行装置に関する。
【背景技術】
【０００２】
近年、情報漏洩による問題が発生しているため、データを転送する場合、セキュリティの確保が重要になってきている。そこで、転送されるファイルの機密性を向上させることができるデータ送受信システムが検討されている（例えば、特許文献１参照。）。この文献においては、ネットワークを介してデータを送受信するデータ送受信システムのデータ送信側は、キーワードが送信時に入力されると、このキーワードをファイルに付加して宛先に転送する。データ受信側は、受信したファイルを取得する際に入力されるキーワードと、受信したファイルに付加されているキーワードとを照合し、照合が一致したときには、ファイルの取り出しができる。
【０００３】
一方、今まで使用していた古いコンピュータ装置を新しいコンピュータ装置に交換することがある。この場合、古いコンピュータ装置に記憶していたデータを、新しいコンピュータ装置に移行させるため、ネットワーク又は携帯可能な記憶媒体を用いる。
【０００４】
ネットワークを用いる場合には、データを記憶した移行元のコンピュータ装置と、データの移行先のコンピュータ装置とをネットワークで接続する。そして、移行先のコンピュータ装置のデータ記憶領域を共有設定にして、移行元のコンピュータ装置からデータ移行の操作を行なってデータを移行する。又は、移行するデータが記憶された移行元のコンピュータ装置のデータ記憶領域を共有設定にして、移行先のコンピュータ装置からデータ移行の操作を行なってデータを移行する。
【０００５】
一方、ＵＳＢ（Universal Serial Bus）メモリ等の携帯可能な記憶媒体を用いる場合には、移行元のコンピュータ装置に記憶媒体を接続し、この記憶媒体に移行するデータを記憶させる。この記憶媒体を移行元のコンピュータ装置から外して、移行先のコンピュータ装置に接続する。そして、記憶媒体に記憶したデータを移行先のコンピュータ装置に移行させる。
【特許文献１】特開２０００−１２４８９６号公報（図１〜図３）
【発明の開示】
【発明が解決しようとする課題】
【０００６】
このように他のコンピュータ装置にデータを移行させる場合においても、セキュリティの確保が重要である。上述したようにネットワークを用いる場合には、新たなコンピュータ装置をネットワークに接続する必要がある。更に、データを移行させた後、データ記憶領域の共有設定を解除しない場合には、ネットワークに接続された他のコンピュータ装置からアクセスされてしまう可能性がある。また、記憶媒体を用いる場合には、この記憶媒体に記憶されたデータを削除しない場合、この記憶媒体を介して情報が漏洩する可能性がある。
【０００７】
本発明は、上述の課題に鑑みてなされ、その目的は、簡単な作業で、情報漏洩の可能性を低減するようにセキュリティを確保してデータの移行を行なうことができるデータ移行装置を提供することにある。
【課題を解決するための手段】
【０００８】
上記問題点を解決するために、請求項１に記載の発明は、揮発性メモリと、前記揮発性メモリに書き込まれるデータを取り込む移行元接続端子と、前記揮発性メモリに書き込まれたデータを転送する移行先接続端子と、前記移行元接続端子を介して接続される移行元である第１のコンピュータ装置からのアクセスに応じて前記揮発性メモリに対して書込を実行する書込制御手段と、前記移行先接続端子を介して接続される移行先である第２のコンピュータ装置からのアクセスに応じて前記揮発性メモリに対して読出のみを許容し、書込を許容しない読出制御手段とを備え、前記揮発性メモリに記録されたデータを保持するための電力を、少なくとも一方の接続端子を介して供給し、前記少なくとも一方の接続が切断されたときに、前記揮発性メモリへの電力供給を停止することを要旨とする。
【００１０】
請求項２に記載の発明は、請求項１に記載のデータ移行装置において、前記揮発性メモリに記録されたデータを保持するための電力は、前記移行元接続端子を介して供給されることを要旨とする。
請求項３に記載の発明は、請求項２に記載のデータ移行装置において、一方が前記移行元接続端子となり、他方が前記移行先接続端子になる第１接続端子及び第２の接続端子を備えており、前記第１接続端子が前記移行元接続端子で、かつ前記第２接続端子が前記移行先接続端子として機能する場合と、前記第１接続端子が前記移行先接続端子で、かつ前記第２接続端子が前記移行元接続端子として機能する場合とを切り替える切替手段を更に備えたことを要旨とする。
請求項４に記載の発明は、請求項１〜３のいずれか１項に記載のデータ移行装置において、前記移行元接続端子及び移行先接続端子は、ＵＳＢ端子であることを要旨とする。
【００１１】
（作用）
本発明によれば、揮発性メモリと、第１及び第２の接続端子とを備える。これら第１及び第２の接続端子は、揮発性メモリに書き込まれるデータを取り込む移行元接続端子と、揮発性メモリに書き込まれたデータを転送する移行先接続端子とから構成される。移行元接続端子が移行元コンピュータ装置に接続されると、移行元コンピュータ装置は揮発性メモリを認識する。また、他の接続端子が移行先コンピュータ装置に接続されると、移行先コンピュータ装置は揮発性メモリを認識する。このため、揮発性メモリは、移行先コンピュータ装置と移行元コンピュータ装置だけで共有するメモリになるので、他のコンピュータ装置からこのメモリのデータを閲覧することはできない。よって、接続するという簡単な作業で、セキュリティを確保して、移行先コンピュータ装置と移行元コンピュータ装置との間でデータの移行を行なうことができる。
【００１２】
また、揮発性メモリには、少なくとも一方の接続端子を介して電力が供給されるので、接続端子がコンピュータ装置に接続しておらず電力が供給されていない場合は、揮発性メモリに記録されたデータが消去される。このため、使用していないときには、電力が供給されておらず、揮発性メモリにはデータが記憶されてないので、移行対象データを揮発性メモリに記憶しても、情報漏洩の可能性をより低くすることができる。
【００１３】
本発明によれば、移行元接続端子を介して接続される移行元コンピュータ装置からのアクセスに応じて揮発性メモリに対して書込を制御する書込制御手段と、移行先接続端子を介して接続される移行先コンピュータ装置からのアクセスに応じて揮発性メモリに対して読出のみを許容する読出制御手段とを更に設ける。このため、移行先コンピュータ装置に記憶されているデータは、揮発性メモリに記録できないため、移行先コンピュータ装置に記憶されているデータの流出を回避することができる。
【００１４】
本発明によれば、揮発性メモリには、移行元接続端子を介して電力が供給される。このため、移行対象データが記憶されている移行元コンピュータ装置との接続が切断されて、電力供給が停止した場合には、揮発性メモリに記憶したデータが消去される。従って、揮発性メモリに書込可能な移行元コンピュータ装置と接続していないときには、揮発性メモリにはデータが記憶されていないので、移行元コンピュータ装置からのデータの流出を抑制することができる。
【００１５】
本発明によれば、第１及び第２の接続端子において、移行元接続端子と移行先接続端子とを切り替える切替手段を更に備える。このため、任意の接続端子を移行元コンピュータ装置に接続し、残りの接続端子を移行先コンピュータ装置に接続した後、切替手段を操作すれば、接続する際に接続端子を区別しなくてもよい。従って、接続がより容易に行なえるので、より簡単に移行対象データを移行することができる。
【００１６】
本発明によれば、第１及び第２の接続端子は、ＵＳＢ端子である。このため、公知の技術を用いて、データ移行装置を実現することができる。
【発明の効果】
【００１７】
本発明によれば、簡単な作業で、セキュリティを確保してデータの移行を行なうことができる。
【発明を実施するための最良の形態】
【００１８】
（第１実施形態）
以下、本発明を具体化した第１実施形態を図１〜図５に基づいて説明する。
本実施形態におけるデータ移行装置としてのデータ中継装置１０は、本体部１１と、これに接続されている２本のケーブル１３，１４と、各ケーブル１３，１４の端部にそれぞれ設けられた接続端子１５，１６とを備えている。
【００１９】
接続端子１５，１６は、本実施形態では、公知のＵＳＢ端子である。接続端子１５は、本実施形態では、移行対象データを記憶する移行元コンピュータ装置２０に接続される移行元接続端子として機能する。また、接続端子１６は、本実施形態では、移行対象データが移行される先の移行先コンピュータ装置３０に接続される移行先接続端子として機能する。なお、移行元コンピュータ装置２０及び移行先コンピュータ装置３０は、例えば公知のコンピュータであって、ディスプレイ等の表示手段と、キーボードやマウス等の入力手段とを備える。また、これらコンピュータ装置（２０，３０）は、複数のＵＳＢポートを備え、ＵＳＢポートにおける接続状態や接続されたデバイスのステータス等を検出する。
【００２０】
本体部１１は、図２に示すように、揮発性メモリ１１０と、メモリ制御手段としてのメモリ制御部１２０とを内蔵している。本実施形態では、本体部１１は、接続端子１５が接続する移行元コンピュータ装置２０から電力供給を受ける。
【００２１】
揮発性メモリ１１０は、公知のように、電力が供給されている間はデータを保持し、電力供給が停止されると、記憶しているデータが消去されるメモリである。
メモリ制御部１２０は、揮発性メモリ１１０に対してデータの書込及び読出を実行する。本実施形態では、メモリ制御部１２０は、接続端子１５に接続される書込制御手段１２１と、接続端子１６に接続される読出制御手段１２２とを備える。書込制御手段１２１は、接続端子１５に接続される移行元コンピュータ装置２０からの操作に応じたデータの読み出し及び書き込みを許可する。読出制御手段１２２は、接続端子１６に接続される移行先コンピュータ装置３０からの操作に応じたデータの読み出しのみを許可する。
また、本実施形態では、本体部１１の筐体には、図１に示すように、データの転送方向（接続端子１５から接続端子１６への方向）を示す矢印マーク１１ａが設けられている。
【００２２】
次に、以上の構成を備えたデータ中継装置１０のデータ移行処理について、接続処理、データ移動処理及び切断処理の順番に説明する。接続処理は、データ中継装置１０をコンピュータ装置（２０，３０）に接続したときに行なわれる処理である。データ移動処理は、移行元コンピュータ装置２０から移行先コンピュータ装置３０に移行対象データを移行するときに行なわれる処理である。切断処理は、移行先コンピュータ装置３０にデータが
移行された後、データ中継装置１０と移行元コンピュータ装置２０との接続が切断されたときに行なわれる処理である。
【００２３】
（接続処理）
図３に示すように、データ移行を実行する場合、データ中継装置１０を、移行元コンピュータ装置２０に接続し（ステップＳ１−１）、移行先コンピュータ装置３０に接続させる（ステップＳ１−２）。具体的には、ユーザは、データ中継装置１０の接続端子１５を移行元コンピュータ装置２０のＵＳＢポートに接続し、接続端子１６を移行先コンピュータ装置３０のＵＳＢポートに接続する。
【００２４】
データ中継装置１０が移行元コンピュータ装置２０に接続されると、移行元コンピュータ装置２０は、データ中継装置１０の揮発性メモリ１１０を、リムーバブルディスクとして新たに認識する（ステップＳ２−１）。なお、ここで、リムーバブルディスクとは、電源を切らずに取り外せるストレージデバイス全般をいう。そして、移行元コンピュータ装置２０は、新たに認識したリムーバブルディスクを示すフォルダをディスプレイに表示する（ステップＳ２−２）。
【００２５】
この場合、移行元コンピュータ装置２０に接続されたデータ中継装置１０は、移行元コンピュータ装置２０から電力供給を受けて、揮発性メモリ１１０が動作可能になる（ステップＳ３−１）。
【００２６】
一方、データ中継装置１０が移行先コンピュータ装置３０に接続されると、移行先コンピュータ装置３０は、移行元コンピュータ装置２０と同様に、データ中継装置１０の揮発性メモリ１１０を、リムーバブルディスクとして新たに認識する（ステップＳ４−１）。そして、移行先コンピュータ装置３０は、新たに認識したリムーバブルディスクを示すフォルダをディスプレイに表示する（ステップＳ４−２）。
【００２７】
（データ移動処理）
そして、図４に示すように、移行元コンピュータ装置２０は、揮発性メモリ１１０への複写指示の取得処理を実行する（ステップＳ５−１）。具体的には、ユーザは、移行元コンピュータ装置２０内のデータ記憶領域を示すフォルダにおいて移行対象データのファイル名を選択し、データ中継装置１０の揮発性メモリ１１０を示すフォルダにコピーする指示の操作を、キーボードやポインティングデバイスを用いて行なう。これにより、移行元コンピュータ装置２０は、移行対象データ及び移行先を含む複写指示を取得する。
【００２８】
この複写指示に応じて、移行元コンピュータ装置２０は、データ転送処理を実行する（ステップＳ５−２）。具体的には、移行元コンピュータ装置２０は、移行対象データが記憶されているデータ記憶領域から移行対象データを取得し、データ中継装置１０に供給する。
【００２９】
そして、データ中継装置１０のメモリ制御部１２０は、供給された移行対象データの一時記憶処理を実行する（ステップＳ５−３）。具体的には、移行元コンピュータ装置２０から供給された移行対象データは、接続端子１５を介してメモリ制御部１２０の書込制御手段１２１に供給される。書込制御手段１２１は、供給された移行対象データを揮発性メモリ１１０に書き込む。この場合、揮発性メモリ１１０は、移行元コンピュータ装置２０から電力供給を受けているので、書き込まれた移行対象データを保持する。
【００３０】
なお、移行先コンピュータ装置３０においてステップＳ５−１が実行された場合、この移行先コンピュータ装置３０は、読み出しのみを許可する読出制御手段１２２に接続されているため、データを揮発性メモリ１１０に書き込めない。この場合、メモリ制御部１２
０は、データの書き込みができない旨を移行先コンピュータ装置３０に送信する。移行先コンピュータ装置３０は、書き込みができない旨をディスプレイに表示する。
【００３１】
そして、ステップＳ５−３における揮発性メモリ１１０への移行対象データの書き込みが完了すると、移行先コンピュータ装置３０は、この移行対象データの表示処理を実行する（ステップＳ５−４）。具体的には、揮発性メモリ１１０に新たなデータが書き込まれたことを検知すると、移行先コンピュータ装置３０は、揮発性メモリ１１０を表示するフォルダにおいて、新たに書き込まれたデータのファイル名を新たに追加して表示する。
【００３２】
そして、移行先コンピュータ装置３０は、揮発性メモリ１１０のデータの複写指示の取得処理を実行する（ステップＳ６−１）。具体的には、ユーザは、揮発性メモリ１１０を示すフォルダにおいて移行対象データのファイル名を選択し、移行先コンピュータ装置３０内のデータ記憶領域を示すフォルダにコピーする指示の操作を、キーボードやポインティングデバイスを用いて行なう。これにより、移行先コンピュータ装置３０は、移行対象データ及び移行先を含む複写指示を取得する。
【００３３】
この複写指示に応じて、データ中継装置１０のメモリ制御部１２０は、データ転送処理を実行する（ステップＳ６−２）。具体的には、メモリ制御部１２０の読出制御手段１２２は、揮発性メモリ１１０に保持された移行対象データを移行先コンピュータ装置３０に転送する。
【００３４】
そして、移行先コンピュータ装置３０は、供給された移行対象データをメモリに記憶する（ステップＳ６−３）。具体的には、揮発性メモリ１１０から供給された移行対象データは、接続端子１６を介して移行先コンピュータ装置３０に供給される。移行先コンピュータ装置３０は、供給された移行対象データを指定された移行先のフォルダに書き込む。そして、移行先コンピュータ装置３０は、フォルダに書き込まれた移行対象データの表示処理を実行する。具体的には、移行先コンピュータ装置３０は、フォルダに新たなデータが書き込まれたことを検知すると、このフォルダにおいて、移行対象データのファイル名を新たに追加して表示する。
【００３５】
（切断処理）
以上のように移行対象データが移行先コンピュータ装置３０に移行された場合、図５に示すように、データ中継装置１０と移行元コンピュータ装置２０との接続が切断される（ステップＳ７−１）。具体的には、ユーザが、データ中継装置１０の接続端子１５を移行元コンピュータ装置２０のＵＳＢポートから抜く。これにより、移行元コンピュータ装置２０は、データ中継装置１０の揮発性メモリ１１０を認識できなくなるので、揮発性メモリ１１０を示すフォルダの表示を停止する（ステップＳ７−２）。
【００３６】
一方、移行元コンピュータ装置２０との接続が切断されたデータ中継装置１０は、移行元コンピュータ装置２０からの電力供給が停止される（ステップＳ７−３）。このため、データ中継装置１０の揮発性メモリ１１０に保持されたデータが消去される（ステップＳ７−４）。そして、揮発性メモリ１１０のデータが消去されたため、データ中継装置１０が接続されている移行先コンピュータ装置３０は、揮発性メモリ１１０を示すフォルダの表示を停止する（ステップＳ７−５）。
【００３７】
そして、ユーザは移行先コンピュータ装置３０のＵＳＢポートからデータ中継装置１０の接続端子１６を抜く。以上により、データ中継装置１０のデータ移行処理が完了する。
本実施形態によれば、以下のような効果を得ることができる。
【００３８】
（１）  本実施形態のデータ中継装置１０は、揮発性メモリ１１０を内蔵する本体部１
１とＵＳＢ端子の接続端子１５，１６とを備える。揮発性メモリ１１０は、接続端子１５を介して接続する移行元コンピュータ装置２０から電力供給を受ける。このデータ中継装置１０を、移行元コンピュータ装置２０に接続し（ステップＳ１−１）、移行先コンピュータ装置３０に接続させる（ステップＳ１−２）と、各コンピュータ装置（２０，３０）は、揮発性メモリ１１０をリムーバブルディスクとして新たに認識する（Ｓ２−１，Ｓ４−１）。このため、揮発性メモリ１１０は、データ中継装置１０が接続されたコンピュータ装置（２０，３０）だけで共有するメモリになるので、他のコンピュータ装置から揮発性メモリ１１０のデータを閲覧することはできない。従って、データ中継装置１０を接続するという簡単な作業で、セキュリティを確保して、移行元コンピュータ装置２０と移行先コンピュータ装置３０との間で、データの移行を行なうことができる。
【００３９】
（２）  本実施形態のデータ中継装置１０は、移行元コンピュータ装置２０との接続が切断される（ステップＳ７−１）と、移行元コンピュータ装置２０からの電力供給が停止されて（ステップＳ７−３）、揮発性メモリ１１０に保持されたデータが消去される（ステップＳ７−４）。このため、移行元コンピュータ装置２０と接続していないときには、揮発性メモリ１１０にはデータが記憶されていないので、この揮発性メモリ１１０からデータの流出を抑制することができる。
【００４０】
（３）  本実施形態のデータ中継装置１０は、メモリ制御部１２０を内蔵する。このメモリ制御部１２０は、接続端子１５に接続される書込制御手段１２１と、接続端子１６に接続される読出制御手段１２２とを備える。読出制御手段１２２は、接続端子１６に接続される移行先コンピュータ装置３０からの操作に応じたデータの読出のみを許可する。このため、移行先コンピュータ装置３０からは、揮発性メモリ１１０には書き込めないので、移行先コンピュータ装置３０に記憶されているデータが、このデータ中継装置１０を介して流出する可能性がない。従って、セキュリティをより確保して、データ移行を行なうことができる。
【００４１】
（４）  本実施形態のデータ中継装置１０の接続端子１５，１６は、ＵＳＢ端子である。このため、コンピュータ装置（２０，３０）のＵＳＢポートに、データ中継装置１０が接続された場合、コンピュータ装置（２０，３０）で特別な処理を実行しなくても、揮発性メモリ１１０はリムーバブルディスクとして認識される。よって、データ中継装置１０を接続するという簡単な作業で、データ移行することができる。
【００４２】
（５）  本実施形態のデータ中継装置１０は、本体部１１の筐体に、データの転送方向（接続端子１５から接続端子１６への方向）を示す矢印マーク１１ａが設けられている。このため、移行元コンピュータ装置２０に接続する移行元接続端子と、移行先コンピュータ装置に接続する移行先接続端子とを、容易に区別することができる。従って、接続がより容易に行なえるので、より簡単に移行対象データを移行することができる。
【００４３】
（第２実施形態）
次に、本発明を具体化した第２実施形態を図６及び図７に基づいて説明する。以下の実施形態において、上述の実施形態と同様の部分については、同一の符号を付し、その詳細な説明は省略する。本実施形態においては、スイッチの切替により、移行元接続端子及び移行先接続端子として機能させる接続端子１５，１６を変更することができる。
【００４４】
図６に示すように、本実施形態のデータ中継装置５０の本体部５１には、スライドスイッチ５５が設けられている。このスライドスイッチ５５は、操作部５５ａの位置に応じて、データの転送方向を変更する。具体的には、スライドスイッチ５５の操作部５５ａが接続端子１６側に位置している場合には、接続端子１５が移行元接続端子として機能し、接続端子１６が移行先接続端子として機能する。また、操作部５５ａが接続端子１５側に位
置している場合には、接続端子１５が移行先接続端子として機能し、接続端子１６が移行元接続端子として機能する。
【００４５】
更に、本実施形態の本体部５１は、図７に示すように、メモリ制御部５２０、揮発性メモリ１１０及び電力供給切替手段５３０を備えている。
メモリ制御部５２０は、接続端子１５，１６に接続されており、書込制御手段５２１と、読出制御手段５２２とを備える。書込制御手段５２１は、移行元コンピュータ装置２０からの操作に応じたデータの読み出し及び書き込みを許可する。読出制御手段５２２は、移行先コンピュータ装置３０からの操作に応じたデータの読み出しのみを許可する。
【００４６】
本実施形態のメモリ制御部５２０は、スライドスイッチ５５によって、接続端子１５，１６がそれぞれ接続される制御手段（書込制御手段５２１又は読出制御手段５２２）を切り替える。具体的には、スライドスイッチ５５の操作部５５ａが接続端子１６側に位置している場合には、接続端子１５が書込制御手段５２１に接続され、接続端子１６が読出制御手段５２２に接続される。また、スライドスイッチ５５の操作部５５ａが接続端子１５側に位置している場合には、接続端子１５が読出制御手段５２２に接続され、接続端子１６が書込制御手段５２１に接続される。
【００４７】
電力供給切替手段５３０は、スライドスイッチ５５によって、電力供給を受ける接続端子（１５又は１６）を切り替える。本実施形態では、上記第１実施形態と同様に移行元コンピュータ装置２０から電力供給を受ける。具体的には、電力供給切替手段５３０は、スライドスイッチ５５の操作部５５ａが、接続端子１６側に位置している場合には接続端子１５からの電力を揮発性メモリ１１０に供給し、接続端子１５側に位置している場合には接続端子１６からの電力を揮発性メモリ１１０に供給する。なお、本実施形態において、この電力供給切替手段５３０は、メモリ制御部５２０にも電力を供給する。
【００４８】
本実施形態のデータ中継装置５０も、上記第１実施形態と同様に、データ移行処理を行なうために用いられる。本実施形態では、移行元コンピュータ装置２０のＵＳＢポートに、接続端子１５，１６の一方を接続し、移行先コンピュータ装置３０のＵＳＢポートに、残りの一方を接続する。そして、ユーザは、スライドスイッチ５５の操作部５５ａを移行先コンピュータ装置３０側に位置させる。これにより、メモリ制御部５２０は、書込制御手段５２１を移行元コンピュータ装置２０に接続させ、読出制御手段５２２を移行先コンピュータ装置３０に接続させる。また、電力供給切替手段５３０は、移行元コンピュータ装置２０から供給される電力を揮発性メモリ１１０等に供給する。
【００４９】
そして、上記第１実施形態と同様に、接続処理、データ移動処理及び切断処理が実行される。
本実施形態によれば、上記（１）〜（４）に記載の効果と同様な効果に加えて、以下のような効果を得ることができる。
【００５０】
（６）  本実施形態のデータ中継装置５０は、操作部５５ａの位置に応じて、データの転送方向を変更するスライドスイッチ５５が設けられている。メモリ制御部５２０は、スライドスイッチ５５によって、接続端子１５，１６がそれぞれ接続される制御手段（書込制御手段５２１又は読出制御手段５２２）を切り替える。移行元コンピュータ装置２０に接続端子１５，１６の一方を接続し、移行先コンピュータ装置３０に残りの接続端子（１５又は１６）を接続した後、スライドスイッチ５５の操作部５５ａを移行先コンピュータ装置３０側に位置させる。これにより、メモリ制御部５２０は、書込制御手段５２１を移行元コンピュータ装置２０に接続させ、読出制御手段５２２を移行先コンピュータ装置３０に接続させる。このため、移行先コンピュータ装置３０からは、データを書き込めないので、移行先コンピュータ装置３０からのデータの流出を抑制することができる。また、
接続端子１５，１６をコンピュータ装置（２０，３０）に接続する際に、これら接続端子１５，１６を区別しなくてもよいので、接続がより容易に行なえ、より簡単にデータを移行することができる。
【００５１】
（７）  本実施形態のデータ中継装置５０は、スライドスイッチ５５によって、電力供給を受ける接続端子（１５又は１６）を切り替える電力供給切替手段５３０を備えている。この電力供給切替手段５３０は、移行元コンピュータ装置２０から供給される電力を揮発性メモリ１１０等に供給する。このため、接続端子１５，１６のいずれをコンピュータ装置（２０，３０）に接続してもよいとともに、揮発性メモリ１１０に書き込み可能な移行元コンピュータ装置２０からのデータの流出を抑制することができる。
【００５２】
また、上記各実施形態は、以下のように変更してもよい。
○  上記各実施形態においては、揮発性メモリ１１０に供給する電力は、移行元コンピュータ装置２０から取得する構成とした。これに限らず、揮発性メモリ１１０に供給する電力は、移行先コンピュータ装置３０から取得してもよい。また、移行元コンピュータ装置２０及び移行先コンピュータ装置３０の一方の接続が切断されたときに、揮発性メモリ１１０への電力供給を停止するようにしてもよい。この場合、接続端子１５，１６からの電力供給を監視する電力供給監視手段を、本体部１１，５１に設ける。電力供給監視手段は、接続端子１５，１６の両方から電力供給を受けた場合には、揮発性メモリ１１０へ電力を供給し、接続端子１５，１６の少なくとも一方から電力が供給されなくなった場合には、揮発性メモリ１１０に供給していた電力を停止する。これにより、移行元コンピュータ装置２０又は移行先コンピュータ装置３０との接続が切断されたときには、揮発性メモリ１１０のデータが消去されるので、情報漏洩の可能性を低減することができる。
【００５３】
○  上記各実施形態においては、移行先コンピュータ装置３０からのデータの書き込みを制限するために、メモリ制御部１２０，５２０に読出制御手段１２２，５２２を設けた。この読出制御手段１２２，５２２を、書き込みも可能な書込制御手段としてもよい。この場合、移行先コンピュータ装置３０からもデータが書き込みできるが、接続端子１５，１６を区別しなくても、コンピュータ装置（２０，３０）と接続できる。また、電力供給している移行元コンピュータ装置２０との接続が切断されると、揮発性メモリ１１０のデータが消去されるので、セキュリティの確保ができる。
【００５４】
○  上記各実施形態においては、接続端子１５，１６は、ケーブル１３，１４を介して本体部１１，５１に接続した。ハードウエア構成はこれに限らず、接続端子１５，１６の一方を本体部１１，５１と一体化し、１本のケーブルを備えるデータ移行装置としてもよい。
【００５５】
○  上記第１実施形態においては、本体部１１の筐体には、データの転送方向（接続端子１５から接続端子１６への方向）を示す矢印マーク１１ａを設けた。この矢印マーク１１ａの代わりに、データの転送方向を容易に把握可能な印、例えば本体部１１の筐体の形状を、接続端子１５から接続端子１６へ向かう方向の矢印形状にしてもよい。また、移行元接続端子と移行先接続端子とを容易に区別できるように、接続端子１５，１６のそれぞれに、移行元接続端子、移行先接続端子を意味するマークを設けてもよい。
【００５６】
○  上記第２実施形態においては、本体部５１には、電力供給切替手段５３０を設けた。この電力供給切替手段５３０を設けなくてもよい。この場合、接続端子１５又は接続端子１６から電力が供給する構成としてもよい。
【図面の簡単な説明】
【００５７】
【図１】第１実施形態におけるデータ中継装置の外観構成図。
【図２】第１実施形態における本体部の内部構成を説明するブロック図。
【図３】データ中継装置と接続したときの接続処理を説明するための流れ図。
【図４】データ中継装置を用いたデータ移動処理を説明するための流れ図。
【図５】データ中継装置との接続が切れたときの切断処理を説明するための流れ図。
【図６】第２実施形態におけるデータ中継装置の外観構成図。
【図７】第２実施形態における本体部の内部構成を説明するブロック図。
【符号の説明】
【００５８】
１０，５０…データ中継装置、１１，５１…本体部、１１ａ…矢印マーク、１３，１４…ケーブル、１５，１６…接続端子、２０…移行元コンピュータ装置、３０…移行先コンピュータ装置、５５…スライドスイッチ、５５ａ…操作部、１１０…揮発性メモリ、１２０，５２０…メモリ制御部、１２１，５２１…書込制御手段、１２２，５２２…読出制御手段、５３０…電力供給切替手段。
【図１】
0005009173.tif 000002
【図２】
0005009173.tif 000003
【図３】
0005009173.tif 000004
【図４】
0005009173.tif 000005
【図５】
0005009173.tif 000006
【図６】
0005009173.tif 000007
【図７】
0005009173.tif 000008